(57)【要約】【課題】シロッコファンにおいてモータの回転軸を支持するボス部とベース部とを一体化し、ボス部作製のための時間の短縮、ボス部の取付作業の省略および部品点数の削減を可能とする。【解決手段】本発明に係るシロッコファンは、略円錐台形状のベース部２と、ベース部２に絞り加工を施すことにより形成され、該ベース部２から連続して立ち上がり、モータの回転軸を受け入れるボス部４と、ベース部２の外周に沿って設けられた複数の羽根とを備える。【選択図】　　　　図１
2004011453.tif 000002
【特許請求の範囲】
【請求項１】
ベース部と、
前記ベース部に絞り加工を施すことにより形成され、前記ベース部から連続して立ち上がり、モータの回転軸を受け入れるボス部と、
前記ベース部の外周に沿って設けられた複数の羽根と、
を備えた、シロッコファン。
【請求項２】
前記ベース部は、前記ボス部から前記ベース部に延び、前記ボス部および前記ベース部を選択的に隆起させて形成され、前記ボス部を補強するための複数の隆起部を有し、
前記隆起部間に位置する前記ボス部の内周面により前記回転軸を支持する、請求項１に記載のシロッコファン。
【発明の詳細な説明】
【０００１】
【発明の属する技術分野】
この発明は、回転することにより円筒状羽根集合体の中心側からラジアル方向に風を吹き出す送風機用シロッコファンに関する。
【０００２】
【従来の技術】
図３に従来のシロッコファン１の構造例を示す。図３に示すように、シロッコファン１は、モータの回転軸を支持するベース部２と、その外周に沿って設けられた複数の羽根３とを備える。ベース部２は、モータの回転軸を受け入れるボス部４を有する。ボス部４は、ベース部２とは別部品で構成され、ベース部２にかしめ等により取付けられる。
【０００３】
【発明が解決しようとする課題】
上記のボス部４はたとえば切削加工により作製されるが、加工時間の短縮は困難である。また、ボス部４をベース部２に取付けるためのかしめ等の作業が別途必要となる。しかも、ボス部４をベース部２と別部品とすることで、部品点数も増大する。
【０００４】
本発明は上記の課題を解決するためになされたものである。本発明の目的は、シロッコファンにおいてモータの回転軸を支持するボス部とベース部とを一体化し、ボス部作製のための加工時間の短縮、ボス部の取付作業の省略および部品点数の削減を可能とすることにある。
【０００５】
【課題を解決するための手段】
本発明に係るシロッコファンは、ベース部と、ベース部に絞り加工を施すことにより形成され、該ベース部から連続して立ち上がり、モータの回転軸を受け入れるボス部と、ベース部の外周に沿って設けられた複数の羽根とを備える。なお、本発明のベース部は、絞り加工を行える材質、典型的には金属で構成される。
【０００６】
このようにベース部に絞り加工を施してボス部を設けることにより、ボス部を別途作製する必要がなくなり、ボス部作製のための加工時間を短縮することができる。また、ベース部の作製時にボス部も同時に成形できるので、ボス部の取付作業も不要となる。さらに、ベース部とボス部を一部品で構成できるので、部品点数の削減をも行うことができる。
【０００７】
上記ベース部は、好ましくは、ボス部からベース部に延び、ボス部およびベース部を選択的に隆起させて形成され、ボス部を補強するための複数の隆起部を有する。この場合、該隆起部間に位置するボス部の内周面によりモータの回転軸を支持する。
【０００８】
上記のような隆起部を設けることにより、ボス部を補強することができる。それにより、モータの回転軸を支持するのに必要な強度を確保することができる。また、複数の隆起部を設けることにより、これらの間に位置する複数箇所でモータの回転軸を支持することができる。したがって、モータの回転軸を安定して支持することができる。たとえば、ボス部の側壁を選択的に隆起させ、かつ該隆起部から連続してベース部の外周方向に延びるようにベース部に３つの隆起部を設けた場合、この隆起部によってボス部を補強できるとともに、ボス部の側壁であって隆起部間に位置する３つの部分の内周面でモータの回転軸を安定して支持することができる。
【０００９】
【発明の実施の形態】
以下、本発明の実施の形態について、図１および図２を用いて説明する。図１は本発明のシロッコファンにおけるベース部２の平面図であり、図２は図１におけるＩＩ−ＩＩ線断面図である。
【００１０】
図１および図２に示すように、本発明のシロッコファンは、ベース部２と、ベース部２に設けたボス部４と、ベース部２の外周に沿って設けられた複数の羽根（図示せず）とを備える。
【００１１】
ベース部２は、金属製の薄板を塑性変形させることにより形成することができる。該ベース部２は、ボス部４から周囲に傘状に広がり、略円錐台形状を有する。
【００１２】
ベース部２の中央部の平面部に、ボス部４を突設する。ボス部４は、図示しないモータの回転軸（駆動軸）を受け入れるための軸受孔を有し、ベース部２から連続して立ち上がる。該ボス部４は、ベース部２に絞り加工を施すことにより形成される。
【００１３】
このようにベース部２に絞り加工を施してボス部４を設けることにより、ボス部４を別途作製する必要がなくなり、ボス部４を作製するための時間を短縮することができる。また、ベース部２の作製時にボス部４も同時に成形できるので、ボス部４の取付作業も不要となる。さらに、ベース部２とボス部４を一部品で構成できるので、部品点数の削減をも行うことができる。
【００１４】
ボス部４の先端には、図２に示すようにカーリング部を設け、ボス部４の側壁には複数の隆起部５ａ〜５ｃを設ける。この隆起部５ａ〜５ｃは、ボス部４の付根部に設けられ、ボス部４の側壁からボス部４の周囲に位置するベース部２の中央部にまで連続して延在する。該隆起部５ａ〜５ｃは、ボス部４の側壁およびベース部２の中央部に絞り加工を施して選択的に隆起させることで形成可能である。かかる隆起部５ａ〜５ｃを設けることにより、ボス部を補強することができ、モータの回転軸を支持するのに必要な強度を確保することができる。
【００１５】
図１および図２に示す例では、ボス部４からベース部２の外周に向かって延びる３つの隆起部５ａ〜５ｃを放射状に設けている。また、各隆起部５ａ〜５ｃ間の角度は等しく（図１および図２に示す例では１２０度）なるように設定している。しかし、隆起部５ａ〜５ｃの数および形成位置は任意に選択可能である。
【００１６】
上記のボス部４の軸受孔に、モータの回転軸は受け入れられるが、モータの回転軸は、隆起部５ａ〜５ｃ間に位置するボス部４の回転軸支持部６ａ〜６ｃにより支持される。つまり、モータの回転軸は、複数の回転軸支持部６ａ〜６ｃの内周面によって複数箇所で支持されることとなる。
【００１７】
図１および図２に示す例では、３つの回転軸支持部６ａ〜６ｃを設けているので、モータの回転軸は３点支持されることとなる。したがって、ボス部４によりモータの回転軸を安定して支持することができる。
【００１８】
羽根は、ベース部２の外周縁と連結され、モータの回転軸の軸方向に立設される。これら各羽根の上端部は環状の保持リングを介して連結される。
【００１９】
以上のように本発明の実施の形態について説明を行なったが、今回開示した実施の形態は全ての点で例示であって制限的なものではないと考えられるべきである。本発明の範囲は特許請求の範囲によって示され、特許請求の範囲と均等の意味および範囲内での全ての変更が含まれる。
【図面の簡単な説明】
【図１】本発明のシロッコファンにおけるベース部の平面図である。
【図２】図１におけるＩＩ−ＩＩ線断面図である。
【図３】従来のシロッコファンの断面図である。
【符号の説明】
１　シロッコファン、２　ベース部、３　羽根、４　ボス部、５ａ〜５ｃ　隆起部、６ａ〜６ｃ　回転軸支持部。
【図１】
2004011453.tif 000003
【図２】
2004011453.tif 000004
【図３】
2004011453.tif 000005